(57)【特許請求の範囲】
【請求項１】
複数の使用済みおむつを保持するおむつ処理システムであって、
ベースと、
ベースの上部に連結された外ケーシングと、
内容積を有し、外ケーシングの内側に外ケーシングと間隔をあけて配置され、ベースに対して可回動である内バレルと、
外ケーシング及び内バレルの上部に配置され、トップチャンバの頂部に位置する少なくとも１個のドアを有するトップチャンバと、
内バレルに保持されたディスポーザブルバッグと、
内バレルの回動運動を制御するアクチュエータと、
外ケーシングに連結されており、ディスポーザブルバッグの上縁に可脱連結しうるよう、且つディスポーザブルバッグの本体部分が内バレルと共に回動しているときに当該上縁を静止保持しうるよう、構成されている第１バッグ取付機構と、
内バレルの内壁上に配置され、内バレルが回動しているときにディスポーザブルバッグの本体部分が回動するよう当該本体部分を内バレルに可脱連結する第２バッグ取付機構と、
を備え、
トップチャンバの上記少なくとも１個のドアが透明または半透明であり、
ディスポーザブルバッグのネックがひねり閉鎖形態に保たれている間にトップチャンバのドアから使用済みおむつがトップチャンバ内に入れられ、トップチャンバのドアが閉じられた後に上記本体部分の回動によりディスポーザブルバッグのネックのひねりがほどかれて開き、トップチャンバ内の使用済みおむつがディスポーザブルバッグ内へ落ちる、おむつ処理システム。
【請求項２】
請求項１記載のおむつ処理システムであって、ひねり閉鎖形態に保たれているディスポーザブルバッグのネックと、トップチャンバのドアと、の間に、使用済みおむつが収容できるように、それらの間の高さが設定されているおむつ処理システム。
【請求項３】
請求項２記載のおむつ処理システムであって、内バレルは管状で上下方向に延びており、トップチャンバの上記少なくとも１個のドアが内バレルの上下方向に垂直で、水平に休止して位置するおむつ処理システム。
【請求項４】
請求項２記載のおむつ処理システムであって、そのアクチュエータがフットペダル、ボタン及びセンサのうち少なくとも１個を備え、当該アクチュエータが休止しているときはディスポーザブルバッグのネックがひねり閉鎖形態であり、当該アクチュエータを作動させると内バレルが第１方向に回動して当該ネックが開放形態へとほどかれ、当該アクチュエータを作動停止させると内バレルが第２方向に回動して当該ネックがひねり閉鎖形態に戻るおむつ処理システム。
【請求項５】
請求項４記載のおむつ処理システムであって、そのトップチャンバの上記少なくとも１個のドアの運動が内バレルの回動に対し独立であるおむつ処理システム。
【請求項６】
請求項１記載のおむつ処理システムであって、その第１バッグ取付機構が、内バレルの上方に位置するフレームアセンブリであり、そのフレームアセンブリがローラベース及びバッグローラを備え、ローラベースが外ケーシングに連結され、バッグローラがローラベースに対し可回動であり、
ディスポーザブルバッグの上縁がバッグローラに装着されて、バッグローラを第１ポジションから第２ポジションに回動させて、ロックすることで、ディスポーザブルバッグのネックをひねり閉鎖形態にして、ディスポーザブルバッグを第１バッグ取付機構に取り付けているおむつ処理システム。
【請求項７】
請求項６記載のおむつ処理システムであって、
ディスポーザブルバッグの上縁である開口の縁には、環状部材であるカラーが熔接されており、
第１バッグ取付機構が、ディスポーザブルバッグのカラーに連結しうるよう構成された突出構造及び／又は受容構造を有するおむつ処理システム。
【請求項８】
請求項６記載のおむつ処理システムであって、
ディスポーザブルバッグの上縁である開口の縁には、環状部材であるカラーが熔接されており、
ディスポーザブルバッグのカラーをバッグローラ上に装着するために、フレームアセンブリが、ディスポーザブルバッグのカラーを通しうるようローラベース及びバッグローラを貫いて設けられたカラーの厚み以上の幅を有する開口であるスロットを有するおむつ処理システム。
【請求項９】
外ケーシングと、
使用済みおむつを保持しうるよう構成されているトップチャンバと、
トップチャンバ内に通ずるトップドアと、
トップチャンバの下方に位置し、トップチャンバから使用済みおむつが落ちてきたときその使用済みおむつを受け入れうるよう構成されているエンクロージャエリアと、
トップチャンバとエンクロージャエリアとの間に位置するエンクロージャエリア向けエントランスと、
エンクロージャエリア向けエントランスの開閉を制御するアクチュエータであって、上記エントランスが開くとトップチャンバからエンクロージャエリア内へと使用済みおむつが落ちるアクチュエータと、を備え、
上記エントランスが閉鎖状態に保たれている間にトップドアから使用済みおむつがトップチャンバ内に入れられ、トップドアが閉じられた後に上記エントランスが開いてトップチャンバ内の使用済みおむつがエンクロージャエリア内へ落ちる、ゴミ処理システム。
【請求項１０】
請求項９記載のゴミ処理システムであって、エンクロージャがディスポーザブルバッグであり、そのディスポーザブルバッグのネック部をひねることで上記エントランスの閉鎖が引き起こされるゴミ処理システム。
【請求項１１】
請求項１０記載のゴミ処理システムであって、更に、ディスポーザブルバッグを保持し、外ケーシングの内側に配置され、外ケーシングに対し可回動な内バレルと、
外ケーシングに連結されており、ディスポーザブルバッグの上縁に可脱連結しうるよう、且つディスポーザブルバッグの本体部分が内バレルと共に回動しているときに当該上縁を静止保持しうるよう、構成されている第１バッグ取付機構と、を備える、ゴミ処理システム。
【請求項１２】
請求項１０記載のゴミ処理システムであって、そのトップドア及び外ケーシングのうち少なくとも一方が透明なゴミ処理システム。
【請求項１３】
請求項１１記載のゴミ処理システムであって、
第１バッグ取付機構が、内バレルの上方に位置するフレームアセンブリであり、
ディスポーザブルバッグの上縁である開口の縁には、環状部材であるカラーが熔接されており、
ディスポーザブルバッグのカラーをフレームアセンブリ上に装着するために、フレームアセンブリが、ディスポーザブルバッグのカラーを通しうるようにフレームアセンブリを貫いて設けられたカラーの厚み以上の幅を有する開口であるスロットを有するゴミ処理システム。
【請求項１４】
使用済みおむつを処理する方法であって、
頂部透明ドア及び外ケーシングを有する容器アセンブリを準備するステップを有し、
その容器アセンブリがディスポーザブルバッグを保持し、
頂部透明ドアの開閉とは独立にユーザがディスポーザブルバッグの開閉を随意制御できるようにし、ひいては頂部透明ドアを閉じたままにしながらユーザが随意にそのバッグを開けてディスポーザブルバッグ内を覗き視認検査できるようにするアクチュエータを、準備するステップを有し、
ディスポーザブルバッグのネックが閉鎖状態に保たれている間に上記ドアを開けて、使用済みおむつが、容器アセンブリに入れられ、ディスポーザブルバッグのネックの上方で留められ、上記ドアが閉じられた後にディスポーザブルバッグのネックを開いて上記上方で留められた使用済みおむつがディスポーザブルバッグ内へ落ちる、方法。
【請求項１５】
請求項１４記載の方法であって、更に、頂部透明ドアが閉じているときそのドアとディスポーザブルバッグの上縁との間でクリアランス空間を提供するステップを有し、そのクリアランス空間が十分に高背で使用済みおむつを収容しうる方法。
【請求項１６】
請求項１４記載の方法であって、そのアクチュエータがフットペダルによって制御される方法。
【発明の詳細な説明】
【技術分野】
【０００１】
（関連出願の相互参照）
本願は２０１５年８月２７日付米国特許出願第１４／８３８２６７号たる国際出願であり、これは２０１５年８月２７日付米国特許出願第１４／８３８２４７号の一部継続出願であり、更にそれは２０１４年８月２９日付米国特許出願第１４／４７３７７６号の一部継続出願であり、更にそれは２０１４年８月２９日付米国特許出願第１４／４７３６８５号の一部継続出願であるので、この参照を以てそれら出願の全容を本願に繰り入れることにする。参照によってその全容を繰り入れるものの、親出願において為された議論や放棄宣誓は本一部継続出願には適用されない。これにより、上記諸出願の審査・審理中に為されたあらゆる放棄宣誓が明示的に無効となる。従って、特許庁には、新たな一組の請求項を、自庁が適切と認めるあらゆる調査及びあらゆる従来技術を踏まえ検討することが求められる。
【０００２】
（発明の分野）
分野上、本発明は、悪臭ゴミパッケージ例えば使用済みおむつの処理システムに関する。
【背景技術】
【０００３】
使用済みおむつ及び／又はその他の廃棄物はややもすると不快な臭気を発するものであり、しかもそれが長時間に亘ることがある。従って、適切な封止缶とならないゴミ容器内にそうした廃棄物を入れると、周囲環境に臭気が漏れ出すという不本意な結果が生じかねない。
【０００４】
現在、おむつ捨て用の多様なペイルが市場に出回っているが、いずれとして完全に満足のいくものがない。現在市場に出回っているダイアパペイル（おむつバケツ）は使用済みおむつが収容される容器をトップ（屋根）で覆ったものであり、そのトップがハンズフリーになっていないので、これらのペイルでは、おむつを捨てるに当たりユーザがハンドル、ラッチ又はそれに類するものを握って容器を開ける必要がある。従って、こうしたダイアパペイルはゴミ容器としては十分に機能するけれども、そのダイアパペイルのトップを開ける際に容器外にほぼ確実に悪臭が漂い出るので、使用済みおむつの悪臭を内部に留めおくことや覆い隠すことはやはり不可能である。ダイアパペイルの中には臭気を吸収し又は打ち消すアドオン（付加）製品、例えばカーボンフィルタや重曹カートリッジを備えるものがあるが、そのダイアパペイルのトップが開けられても臭気が漏れないようダイアパペイル内のバッグ（ゴミ袋）が封止されていない場合には、そうしたアドオン製品が完全に有効な解決策とはならないことがある。
【０００５】
他のダイアパペイル、例えばこの参照を以てその全容が本願に繰り入れられる特許文献１のそれは、ペイルの本体空洞をそのペイルの上部に対し仕切る可撓素材を有している。しかしながら、こうしたダイアパペイルでもハンズフリーな捨て方は可能にならないし、ユーザがその可撓帯紐越しにペイルの本体空洞内へとおむつを手で強く押し込まなければならない。加えて、バッグのネック（頸）をひねり曲げてきつく縛ることが可能なひねり機構を設けうるけれども、その素材に可撓性があるためタイトな封止を実現できず、隙間が開いて臭気がバッグ開口越しに漏れてしまう。
【０００６】
更に他のゴミ容器、例えばこの参照を以てその全容が本願に繰り入れられる特許文献２で描写されているゴミ容器には、ホルダが可回動実装されている。ユーザがフットペダルを踏むとそのホルダは回動し、バッグがひねられまたひねり戻される。バッグの上部がゴミ容器に固定される一方バッグの下部が両面接着テープを使用しホルダに接着されているので、バッグがホルダと共に回動するのである。しかしながら、このゴミ容器には、そのトップが閉じているときしかバッグがひねられ形態に保たれないという短所がある。フットペダルを踏み込むとトップが開き、ホルダが回動してバッグが開くので、その開いたバッグから不快な臭気が流れ出してしまう。
【先行技術文献】
【特許文献】
【０００７】
【特許文献１】米国特許第８１２７５１９号明細書
【特許文献２】米国特許第５１２５５２６号明細書
【発明の概要】
【発明が解決しようとする課題】
【０００８】
このように、容器内に捨てられた悪臭ゴミを上首尾に閉じ込めることで不快な臭気を留め置きそのゴミ容器から出さないようにするハンズフリー（手での扱いが不要）又はタッチフリー（接触が不要）な手段を備えた、改良型のダイアパペイル又はゴミ容器への持続的需要が存している。言い換えれば、ユーザが不快な臭気を吸うリスクを冒す必要がないよう、少なくともそのトップが開いている期間に亘りバッグを閉鎖形態に保ちつつ容器内にゴミを捨てられるようにする手段を、備えるゴミ処理システムが望まれている。
【０００９】
参照しているいずれの特許、出願及び論文についても参照を以てその全容を本願に繰り入れることにする。更に、参照を以て本願に繰り入れられるある参照文献中での語の定義又は用法が本願におけるその語の定義に対し不一致であり又は相反している場合、本願におけるその語の定義が適用され且つその参照文献でのその語の定義は適用されないものとする。本発明は、上述した要請のうち１個又は複数個の充足を図るものと言えよう。本発明では上述した要請のうち１個又は複数個が達成されうるが、ご理解頂けるように、本発明のある種の態様ではそうした要請が達成されない場合もある。
【００１０】
本願では、児童の発育に当たり乳幼児行動への肯定的支援を提供する作用もある、改良型のダイアパペイル又はゴミ処理システムを提案する。その全般的目的は、不快な臭気を吸うリスク無しでユーザが悪臭ゴミを捨てられるような特徴を備えたダイアパペイル又はゴミ容器を提供することである。
【課題を解決するための手段】
【００１１】
ある種の実施形態に係るゴミ処理システムはトップチャンバ（屋根室）、特にそのトップチャンバの下方にあるディスポーザブルバッグ（使い捨て袋）内に使用済みおむつが落ちるのに先立ちステージングエリア（待機区画）として働くトップチャンバを備える。このトップチャンバは、例えば、少なくとも１個のドアを有し、そのドア越しにトップチャンバ内に使用済みおむつが落とし込まれ又は投げ入れられたときに、トップチャンバ内にその使用済みおむつが一時的に留め置かれている状態でそのドアが閉じるものである。ドアが閉じた後、ユーザは、随意に、トップチャンバの下方にあるディスポーザブルバッグを開かせ、そのディスポーザブルバッグの主空洞内に使用済みおむつを落とし込むことができる。ユーザは、その後、バッグを随意に閉じさせることができる。ある実施形態では、トップチャンバのドアがディスポーザブルバッグの開閉とは独立に開閉する。
【００１２】
更に秀逸な実施形態に係るゴミ処理システムは、例えば、そのゴミ容器の内バレル内に少なくとも１個の取付機構を備える。例えばディスポーザブルバッグと係合可能なフック、ペグ又はクリップといった取付機構である。ディスポーザブルバッグは、例えばその取付機構と可脱連結可能な対応する構造を有する。ある種の実施形態では、ディスポーザブルバッグに備わるその対応構造が、少なくとも１個の孔、スリーブ、ストリップ、ループ又は補強付きタブとされる。
【００１３】
多様なバッグ閉鎖手法が包含される。ある実施形態では、ディスポーザブルバッグのネックがひねられることとなろう。他の実施形態では、バッグのネックが巻かれることとなろう。更に他の実施形態では、バッグのネックが挟み込まれることとなろう。バッグの上部を静止させておき、それに対しバッグの下部を回動させることでバッグを閉ざすようにしてもよいし、バッグの下部を静止させておき、それに対しバッグの上部を回動させることでバッグを閉ざすようにしてもよい。更に、他の実施形態では、フットペダル、モーションセンサ又はボタンを使用しユーザがバッグの開閉を制御可能とされよう。
【００１４】
本発明の他の態様は、乳幼児行動への肯定的支援を指向する視覚刺激的なゴミ処理システムに関する。広く知られている通り、適正な視覚刺激は児童の大脳発達に役立つ。好適な実施形態に係るゴミ容器は、透明な外バレルケーシングと、明るく色彩豊かな外観を有する内バレルと、を備える。好ましくは、ストップモーション動画を伴っていて、ユーザが操作するのに応じゴミ容器が躍動的な運動を示し乳児及び幼児の注意を更に誘引する外観である。更に好ましくは、内バレルの外面を、児童の成長及び発育中に持続的な刺激を与えうるよう交換可能にする。更に、魅了的な外観並びに動いている内バレルの引き続くアニメーションによって、親たちにおむつ交換を促せるように児童が肯定的な態様で誘引及び訓練される。明るい色、デザイン及び視覚刺激的な画像は、児童の視覚及び大脳の発達を更に刺激しうる。
【００１５】
本発明の諸目的、特徴、態様及び利点については、本発明の好適な実施形態に関する後掲の詳細な説明、並びに類似する部材を類似する符号で指し示す添付図面を参照することで、より好適に理解されよう。
【００１６】
注記すべきことに、図面は簡略な形態であるので精密な縮尺で描かれているとは限らない。本願記載の発明を参照するに当たっては、専ら簡便性及び明瞭性に鑑み、上、下、左、右、昇、降、上方、上側、下方、下側、後、前、先端、手元等の方向指示語が添付図面との関連で使用される。こうした方向指示語は、如何なる形態でも、本発明の技術的範囲を限定するものとして解されるべきではない。
【図面の簡単な説明】
【００１７】
【図１Ａ】第１実施形態に係り透明な外バレルを有するダイアパペイル（おむつバケツ）の斜視図である。
【図１Ｂ】図１Ａのダイアパペイルの俯瞰斜視図である（図示の簡略化のため外バレルが透明に描かれていない）。
【図２】図１Ａ及び図１Ｂ中の線２−２に沿って採取した縦断面図である。
【図３Ａ】図１Ａのダイアパペイルのトップ（屋根）除去時俯瞰斜視図、特にバッグ（ゴミ袋）アセンブリが図１２Ｂの如きカラー（襟）を有しそのカラーがフレームアセンブリ上に装着されている図である（外ケーシングが透明に描かれておらず且つバッグ本体が描かれていない）。
【図３Ｂ】図１Ａのダイアパペイルのトップ除去時俯瞰斜視図、特にバッグアセンブリが図１２Ｂの如きカラーを有しそのカラーがフレームアセンブリ上に装着されている図である（外ケーシングが透明に描かれておらず且つバッグ本体が描かれていない）。
【図３Ｃ】図１Ａのダイアパペイルのトップ除去時俯瞰斜視図、特にバッグアセンブリが図１４Ｂの如きカラーを有しそのカラーがフレームアセンブリ上にまだ装着されていない図である（外ケーシングが透明に描かれておらず且つバッグ部分が描かれていない）。
【図４】フレームアセンブリが枢動開放されたダイアパペイルのトップ除去時側面図である。
【図５】図４のダイアパペイルの上側斜視図である。
【図６Ａ】その末端部が互いに重なり合う２個の透明なドアパネルを有するトップの斜視図である。
【図６Ｂ】図６Ａのトップの内側の上下反転時斜視図である。
【図７Ａ】図１Ａの実施形態に備わる部品全ての斜視図である。
【図７Ｂ】図１Ａの実施形態に備わるアセンブリ部品全ての分解図である。
【図８Ａ】一実施形態に係るペダル及びベースの内部部品の斜視図である。
【図８Ｂ】図８Ａの実施形態に備わるベースの頂面図兼ペダル及びブレーシング片の斜視図である。
【図８Ｃ】図８Ａのベース及びペダルの別図、特にバネ、バネプラグ及びバネカバーを分離した図である。
【図９Ａ】第１実施形態に係り回動アクスルが中心を貫き延びているペダル付き組立済ベースの斜視図である。
【図９Ｂ】第１実施形態に係る組立済ベースの側面図である。
【図９Ｃ】第１実施形態に係る組立済ベースの前面図である。
【図９Ｄ】図９Ａのベース、特に回動アクスルの周りにボールベアリングが装着されており更にそのアクスルがボールベアリング内を貫き延びているベースの斜視図である。
【図１０】第１実施形態に係り補強開口を有するバッグアセンブリを示す図である。
【図１１】第２実施形態に係りスリーブを有するバッグアセンブリを示す図である。
【図１２Ａ】一実施形態に係りある種のカラーを有するバッグアセンブリを示す図である。
【図１２Ｂ】一実施形態に係りある種のカラーを有するバッグアセンブリを示す図である。
【図１３Ａ】他の実施形態に係り他種のカラーを有するバッグアセンブリを示す図である。
【図１３Ｂ】他の実施形態に係り他種のカラーを有するバッグアセンブリを示す図である。
【図１４Ａ】他の実施形態に係り他種のカラーを有するバッグアセンブリを示す図である。
【図１４Ｂ】他の実施形態に係り他種のカラーを有するバッグアセンブリを示す図である。
【図１５Ａ】更に他の実施形態に係り更に他種のカラーを有するバッグアセンブリを示す図である。
【図１５Ｂ】更に他の実施形態に係り更に他種のカラーを有するバッグアセンブリを示す図である。
【図１６】概略実施形態を示す図である。
【図１７】他の実施形態に係りカプラとして３個の突出スタブを有するフレームアセンブリを示す図である。
【図１８】折り畳み式のカラーを有しそのカラーが図１７のフレームアセンブリ上に装着されようとしているディスポーザブルバッグ（使い捨て袋）を示す図である。
【図１９】折り畳み式のカラーを有しそのカラーがカプラを用い図１７のフレームアセンブリ上に装着されている別のディスポーザブルバッグを示す図である。
【図２０Ａ】非折り畳み式のカラーを有しそのカラーが図１７のフレームアセンブリ上に装着されようとしているディスポーザブルバッグを示す図である。
【図２０Ｂ】非折り畳み式のカラーを有しそのそのカラーを変形することでバッグカラーがフレームアセンブリ内に通されようとしているディスポーザブルバッグを示す図である。
【図２１】バッグカラーを折りたたんだり変形させたりすることなくそのバッグカラーを通せるようにするスロット状開口を有するフレームアセンブリを示す図である。
【図２２Ａ】ディスポーザブルバッグと係合するリブを有する内バレルを示す図である。
【図２２Ｂ】ディスポーザブルバッグと係合する突出バーを有する内バレルを示す図である。
【図２３】ディスポーザブルバッグのショルダ（肩）部分又は本体部分を挟み込むクリップが内バレルに備わる実施形態を示す図である。
【図２４】内バレルの上縁に取り付けられた更なる環状カラーが内バレルに備わり、且つ、環状カラーにモールドされていてディスポーザブルバッグと係合するフックがその環状カラーに備わる実施形態を示す図である。
【図２５】外ケーシング内にある図２４の内バレルの斜視図、特にトップチャンバ（屋根室）及びフレームアセンブリが除去されている状態での図である。
【図２６】図２４の内バレルの斜視図、特に環状カラーのフックがディスポーザブルバッグ側のループに取り付けられており且つトップチャンバ及びフレームアセンブリが除去されている状態での図である。
【図２７】折り畳まれてバッグのショルダ上の開口に係合される折り畳み式カラーを有するディスポーザブルバッグの斜視図である。
【発明を実施するための形態】
【００１８】
以下、本発明及びその諸実施形態についてより好適にご理解頂くため、特許請求の範囲にて定義された発明をわかりやすく例示する好適実施形態についての後掲の詳細な説明に目を向けることにする。明らかにご理解頂けるように、特許請求の範囲にて定義されている発明は、以下に示す諸実施形態よりも広範に亘りうるものである。
【００１９】
本件技術分野で習熟を積んだ者（いわゆる当業者）であれば、本発明の神髄及び技術的範囲から逸脱することなく多様な改変及び改良を施すことができる。そこで、図示実施形態が専ら例示目的で説明されていること、並びに後掲の特許請求の範囲により定義される発明を限定するものとしてそれら実施形態を捉えるべきではないことを、ご理解頂きたい。例えば、特許請求の範囲中の諸要素がある特定の組合せで以下に説明されていることは事実であるが、はっきりご理解頂くべきことに、本発明はより少数の要素、より多数の要素又は別の要素からなる他の組合せを包含するものであり、出願当初の特許請求の範囲にてそうした組合せで記載されていなくても本願に記載があるものとする。
【００２０】
図１Ａに、一実施形態に係るダイアパペイル（おむつバケツ）たるゴミ容器アセンブリ１０の概略を示す。図１Ａに示す容器アセンブリ１０はベース（基部）３００を備えており、そのベース３００からはペダル３５０が張り出している。ベース３００には、ある内容積を有する内バレル（内胴）２１０と、その内バレル２１０の外周を包囲／包容する外バレル（外胴）ケーシング２００とが連結されている。内バレル・外バレル間に十分なクリアランスがあるので、外バレル２００と接触させることなく内バレル２１０を自在に回動させることができる。図中の内バレル２１０はその外表面にある種の螺旋状ブレードを備えているが、この螺旋状ブレードは内バレル２１０の駆動又は回動を助けるものではない。螺旋状ブレードは外バレル２００と相互作用することも係合することもない。というよりは、図中の螺旋状ブレードは、内バレル２１０上で視覚刺激を発生させる熟慮設計の一種である。図示実施形態では、外バレルケーシング２１０が透明であるので、その透明な外バレルケーシング２００越しに内バレルケーシング２１０を見ることができる。他の熟慮実施形態としては、外バレルケーシング２００が部分的に不透明な形態がある。更に他の熟慮実施形態としては、外バレルケーシング２００が完全に不透明な形態がある。容器アセンブリ１０の上部にはトップ（屋根）１００がありトップチャンバ（屋根室）を包んでいる。このトップ１００は２枚の透明な枢動ドア１１０を有しており、それらはその末端部で互いに重なっている。他の実施形態としてはトップが少なくとも１個の枢動ドアを備える形態があろう。更に他の実施形態としてはトップが摺動開放型のドアを備える形態があろう。
【００２１】
通常、語「バレル」により記述されるのはその断面形状が円形の管状物体であるが、特記すべきことに、本明細書における語「バレル」はその断面形状についての具体的な制約又は限定を含意していない。
【００２２】
図１Ｂはダイアパペイルたるゴミ容器アセンブリ１０の別図である。２枚あるドアパネル（戸板）１１０はそれぞれ弾性片１２０によりトップ１００に連結されている。弾性片１２０が十分に強靱であるためドアパネル１１０は閉鎖方向に付勢されるが、それでいて、ドアパネル１１０上に使用済みおむつが落とされたときにはその働きでドアパネル１１０が下方向に向かい観音開きとなる。使用済みおむつがドアパネル１１０を通過した後はそのドアパネル１１０が閉じ、その使用済みおむつがトップチャンバ内に留まる。ある種の熟慮実施形態では弾性片１２０がシリコーンで形成されよう。他の実施形態では弾性片１２０が何らかの弾性素材例えばラバーで形成されよう。更なる熟慮実施形態では弾性片１２０がリーフバネ又はコイルバネとされよう。
【００２３】
図１Ｂの実施形態では２枚のドアパネル１１０間にシール（封止部）１３０が現れる。このシール１３０により、２枚の相重なるドアパネル１１０を気密状態に保つこと、ひいては臭気の滲出を防ぐことができる。他の熟慮実施形態としては、ラバー、シリコーン等の素材で形成された長尺で可撓な紐を、一方又は双方のドアパネル１１０の末端部に、シール１３０として取り付ける形態がある。
【００２４】
語「ドア」又は「ドアパネル」は、ユーザが空間を分割及び区画できるようにする総じて既知な手段をさしている。トップチャンバのドア又はドアパネルは、ユーザが随意に操作できるよう工夫するとよい。トップチャンバのドア又はドアパネルはヒンジ上で枢動するものに限られない。様々な種類のドアを使用することができる。実施形態によってはこのドアがカメラで散見されるそれに似たシャッタブレードとされる。シャッタブレードは機械的に操作及び駆動しても電気的に操作及び駆動してもよい。他の実施形態では摺動式ドア（引き戸）が用いられよう。どのような形態で実現するにしろ、ドアは、ボタン、レバー又はセンサ（例．重量センサ、モーションセンサ、光センサ）を通じ作動させるようにするとよい。ある種の実施形態ではドアがモータによって駆動されよう。更なる実施形態では１個又は複数個のドアがリモートコントローラにより有線又は無線で制御されよう。
【００２５】
図２に、図１Ａ及び図１Ｂ中の線２−２に沿って採取した、容器アセンブリ１０の断面を示す。この図ではディスポーザブルバッグ（使い捨て袋）５００がゴミ容器アセンブリ１０内に装着されており、またそのバッグのネック（頸）５１０がひねり閉鎖されている。このバッグの上縁はバッグローラ４１０に、またショルダ（肩）部は内バレル２１０上のバッグ取付機構（例．フック）に取り付けられている。ベース３００は可回動アクスル３０９を有しており、内バレル２１０のバレルベース（バレル基部）２０１がそのアクスル３０９に連結されている。ある実施形態では、ディスポーザブルバッグ５００のネック５１０が、フットペダル３５０が踏まれていない（休止している）ときにひねり閉鎖状態に保たれる。ユーザがフットペダル３５０を踏むと、バッグローラ４１０が静止状態に保たれた状態で内バレル２１０が第１方向に回動するので、ひねりがほどかれてネック５１０が開く。ユーザがペダル３５０から自分の足を離すと、内バレル２１０が第２方向に回動してネック５１０がひねり閉鎖ポジションに戻る。
【００２６】
注記すべきことに、特許文献２記載のゴミバケツでは、上蓋が開くのと同時にそのゴミ袋のひねりがほどかれる。言い換えれば、それら二種類の動作を同期化することで、特許文献２記載の要望に応えている。
【００２７】
これに対し、本発明の発明者等は、驚異にも、バッグ５００のひねりほどきとは独立に運動する秀逸なドア１１０を考案した。即ち、ある実施形態では、ディスポーザブルバッグ５００の開閉が頂部透明ドア１１０の開閉に対し独立とされる。つまり、使用済みおむつをドア１１０越しに落とし入れても、ディスポーザブルバッグ５００がそれと同時には開かない。他の実施形態では、トップドア（頂部扉）１１０越しに使用済みおむつを入れるとそのおむつがトップチャンバ内に留まり、ディスポーザブルバッグ５００のひねり閉鎖済ネック５１０の上方で静止することとなろう。ユーザは、次いでペダル３５０を踏むことでネック５１０をひねり戻して開くことができる。このようなやり方であれば、ネック５１０を開き使用済みおむつをバッグ５００内に落とし入れる際にダイアパペイルから悪臭気体が漏れ出さない。ペダル３５０から足を離すとネック５１０が再びひねられて閉じる。
【００２８】
前述の通り、フットペダル３５０は検討したアクチュエータのうち一種に過ぎない。他種アクチュエータ例えばモーションセンサ、重量センサ、ボタン又はハンドルも使用できる。対応する機構（ギア、電子制御モータ、回動アクスル等々）をベース３００内に設け、その機構を好適なアクチュエータによって電子的又は機械的に回動させることで、内バレル２１０を回動させることができよう。モーションセンサの場合、ユーザはその前で自分の手又は足を振るだけでそのモーションセンサを作動させることができ、ひいてはベース３００内電動モータを作動させてそのモータにより内バレル２１０を回動させることができる。或いは、トップドア１１０が動いたこと又は使用済みおむつがトップチャンバ内に入ったことを常に検知できるよう、モーションセンサをトップチャンバの内部に搭載してもよい。ある実施形態に係るダイアパペイルでは、数秒の遅延を経てベース３００内電動モータが作動し、その働きで内バレル２１０が回る。重量センサの場合、使用済みおむつがトップチャンバ内に入りバッグ５００のひねり閉鎖済ネック上に落ちたことを検知できるよう、その重量センサを搭載すればよい。前記同様に、重量センサでベース３００内電動モータを作動させ、ひいては内バレル２１０を回動させることができる。他の実施形態では、ネック５１０がひねりほどかれるより前に透明なトップドア１１０が閉じるよう数秒の遅延が設けられる。
【００２９】
更に、ある種の実施形態では、ドア１１０を閉じた際にドア１１０の頂面とディスポーザブルバッグ５００の上縁との間に生じるクリアランスの高さが少なくとも５ｃｍとされよう。これにより、トップチャンバ内に使用済みおむつを収容するのに十分が空間が得られる。このクリアランス高は、或いは少なくとも６ｃｍとされうる。更に他の実施形態では好適なクリアランス高が少なくとも７ｃｍとされる。他の実施形態ではクリアランス高が１０ｃｍ以上とされる。別の実施形態では、ドア１１０が閉じている間はひねり閉鎖済ネックとトップチャンバのドア１１０との間に使用済みおむつを収容できるよう、クリアランス高が十分大きな値に設定される。
【００３０】
このクリアランス高の役割の一つは、バッグ５００内に落ちる前のいっとき、使用済みおむつを留め置けるトップチャンバを、あらかた生成することである。トップチャンバの好適例は部分的に透明なもの、例えば透明な壁又はドア１１０を備えているため使用済みおむつがバッグ５００内にうまく落ちていったか否かをユーザが視認できるものである。
【００３１】
ここで検討したトップチャンバは、トップドア１１０とディスポーザブルバッグ５００に至る閉鎖状態エントランス（入口）との間のクリアランス及び狭隘空間となりうる。上掲の図示例における閉鎖状態エントランスはひねり閉鎖されたネック５１０である。他の好適なバッグ閉鎖手法の例は折り閉鎖及び挟み閉鎖である。ある実施形態では、内バレル２１０の回動を不要とするため、バッグ５００へのエントランスとなる二組目のドアがゴミ容器に設けられる。この二組目のドアは、トップドア１１０とは独立に開閉可能で、且つフットペダル、ボタン又はセンサによって制御される動力付き又は動力無しの構成にすることができる。そうした実施形態では、使用済みおむつをトップドア１１０越しに入れてトップチャンバ内に留め置くことができる。トップドア１１０が閉じた後、開けとの信号をユーザが当該二組目のドアを与えることで、使用済みおむつをバッグ５００内に落とすことができる。
【００３２】
トップドア１１０が透明であるため、ユーザは、悪臭気体の漏出に直面することなくバッグ５００の充満度を視認することができる。ドア１１０が透明であるため、ユーザは単にフットペダル３５０を圧してバッグ５００内を見下ろすだけでよく、その間は頂部透明ドア１１０が閉鎖状態に保たれて種々の悪臭気体が内部に保持される。図６Ａ及び図６Ｂにダイアパペイル１０のトップ１００を示す。
【００３３】
トップ１００として可脱な蓋を示したが、検討した構成は他にも数多くありそれらも使用することができる。例えば、トップ１００を外バレル２００と一体な部材として構成してもよく、またトップドア１１０をかなり大きめにしてディスポーザブルバッグ５００をそこから挿抜できるようにしてもよい。他の実施形態ではサイドドア越しにディスポーザブルバッグ５００を挿抜可能とされよう。
【００３４】
バッグ取付機構との関連で図２に戻ると、同図の構成ではバッグ取付機構２１５たる２個のフックが内バレル２１０上に配されている。この例では、それら２個のフック２１５が、内バレル２１０の内壁上、互いに真向かいに配置されている。これらのフック２１５は、そのショルダ部上にレシーバ５０５を備えるディスポーザブルバッグ５００と係合させることができる。好適なレシーバ５０５としては孔、スリーブ、補強付きの孔、補強付きのタブ、ループ又はストリップがあろう。図２では２個あるレシーバ５０５が補強付きの孔とされている。ディスポーザブルバッグ５００のレシーバ５０５を内バレル２１０に可脱取付すると、そのバッグ５００は、内バレル２１０と共に回動可能となる（その間、バッグの上縁は静止状態に保たれる）。
【００３５】
こうしたバッグ取付機構２１５を内バレル２１０に取り付ける手法は多々ある。図２４、図２５及び図２６に示す他の実施形態では、外ケーシング９００内にある内バレル９１０を、可撓プラスチックシート素材を柱状に丸めることで形成することができる。内バレル９１０の上縁にはプラスチック製の環状カラー（襟）９１４を被せることができ、それにより内バレル９１０を柱状に保つことができる。他の実施形態では、このプラスチック製環状カラー９１４によりそれらのフック９１５向けの堅固取付ポイントが提供されうる；堅固取付ポイント無しで、可撓な内バレル９１０にフック９１５を直接取り付けると、それらフック９１５が内方に撓みかねない。プラスチック製環状カラー９１４をその場で内バレル９１０に連結すれば、トルクがプラスチック製環状カラー９１４に伝わるので内バレル９１０の内方撓み無しでバッグを回動させることができる。プラスチック製環状カラー９１４は２個のフック９１５を有しており、それらは当該プラスチック製環状カラー９１４と一体モールドされている。図２６ではフック９１５がディスポーザブルバッグのスリーブ８０５に連結されている。本願記載の他種バッグ取付機構２１５をこうしたプラスチック製環状カラー９１４に一体モールドしてもよい。内バレル２１０の他の好適な取付機構２１５としてはペグ（杭）やクリップ（図２３参照）があろう。クリップ２１５なら、相応するレシーバ５０５を持たないバッグ５００のショルダ部に止めることができる。従って、ある種の実施形態に係るダイアパペイルでは、内バレルの取付機構２１５に対応する種々の構造を、ディスポーザブルバッグが格別有している必要がない。ある種の実施形態では、そのダイアパペイルを一般的なプラスチック製ゴミ袋と併用可能とするため、一般的なプラスチック製ゴミ袋を挟めるクリップ等の取付機構２１５がダイアパペイルに設けられよう。
【００３６】
他のバッグ・内バレル一体回動手法としては、機械的構造例えばテンタクル、リブ２５５（図２２Ａ参照）、こぶ２５６（図２２Ｂ参照）又は他の各種の表面構造を具備させ、それらによりディスポーザブルバッグ５００を内バレル２１０に連結可能にする手法がある。
【００３７】
ダイアパペイル１０にもう一つのバッグ取付機構、即ちバッグ５００の上縁を外バレルケーシング２００に連結させる機構を具備させてもよい。この手法なら、バッグ５００の本体を内バレル２１０と共に回動させたときに、そのバッグ５００の上縁を外バレルケーシング２００と共に静止状態に保つことができる。図３Ａに示すように、内バレル２１０上に配されたフレームアセンブリ４００を以て、この上縁取付機構とすることができる。一実施形態に係るフレームアセンブリ４００は内バレル２１０と物理的に接触していない。バッグ５００のカラー５２０はフレームアセンブリ４００の内周縁上に可除装着される。フレームアセンブリ４００はローラベース４２０及びバッグローラ４１０を備えている。バッグローラ４１０は、ローラベース４２０に対し、手で回動又は旋回させうるように構成することができる。図示実施形態では、ユーザは、突出しているペグ４５を引き出し握ってバッグローラ４１０を第１ポジションからアンロックする（離脱させる）ことができ、次いでその突出ペグ４５をある回動方向に動かすことでバッグローラ４１０を第２ポジションまで回動させることができる。ペグ４５を解放すればバッグローラ４１０が第２ポジションでロック（固定）される。第１ポジション・第２ポジション間回動距離は、ネック５１０をひねり閉鎖させるのに十分なよう設定されている。
【００３８】
ペグ４５及びバッグローラ４１０の役割の一つは、ひねり閉鎖形態へとユーザがディスポーザブルバッグ５００をプレロードできるようにすることである。操作に当たっては、ユーザはまず、バッグ５００を装着するためトップ１００及びフレームアセンブリ４００を容器アセンブリ１０から取り外し又は傾けて開放させればよい。内バレル２１０が露わになったら、ユーザは、その内バレル２１０内にバッグ５００を置き、そのバッグ５００のショルダを内バレル２１０上のバッグ取付機構２１５に取り付ければよい。上述の手段によってそのバッグを内バレル２１０にしっかりと固定した後、ユーザは、次いで、バッグ全体が内バレル２１０内にある状態でフレームアセンブリ４００を元の場所に装着すればよい。ユーザは、次いで、自分の手をフレームアセンブリ４００の中央開口内に入れ、バッグ５００のカラー５２０を当該フレームアセンブリ４００の中央開口から引き出せばよい。これに続く諸ステップで、ユーザは、バッグ５００のカラー５２０をフレームアセンブリに所要手段で締結すればよい。そして、ユーザは、上述のペグ４５を用いディスポーザブルバッグ５００のネックをひねり閉鎖させることで、そのバッグ５００を手動的にプレロードすることができる。
【００３９】
大抵の実施形態では、その初回使用に先立ち、手動プレロード及び動力プレロードを初めとする上述した諸手法のうちいずれかに従い、静止している内バレル２１０に対しフレームアセンブリ４００を回動させることで、ディスポーザブルバッグ５００をプレロードすることが求められる。他の実施形態では、その初回使用に先立ち、静止しているフレームアセンブリ２１０に対し内バレル２１０を回動させることで、ディスポーザブルバッグ５００がプレロードされよう。例えば、ゴミ容器アセンブリ１０内に未使用のディスポーザブルバッグを装着する際、ユーザがボタンを押すとモータの働きで内バレル２１０が回動してバッグ５００がプレロードされ、それによりネック５１０がひねられ形態になるようにすればよい。その後、ユーザがボタンを押すと内バレルが逆方向に回動し、それによりネック５１０が一時的にひねりほどかれるようにすればよい。
【００４０】
上縁側のバッグ取付機構は多様な手法で構成することができる。単純な機械的手段、例えばフック、ペグ又はクリップでバッグ５００の上縁をつかみフレームアセンブリ４００に締結すればよい。
【００４１】
図３Ａ〜図３Ｃに、ダイアパペイル１０を、図示好適化のためそのトップ１００を取り除いて示す。図３Ａ〜図３Ｃでは、また、図示容易化のためバッグ５００の本体部分を描かずカラー５２０のみを描いてある。ここでは、フレームアセンブリ４００が、内バレル２１０の上方で、且つ外バレルケーシング２００の上端の内周円沿いに、配置されている。バッグ５００の上縁は予成形されたカラー５２０、特にバッグローラ４１０上に可脱装着できる構成のカラー５２０とすることができる。
【００４２】
図３Ｃは、ダイアパペイル１０の他部分から外されたダイアパペイルトップ１００の斜視図である。バッグカラー５２０は十分に可撓であるので、図示の如く変形させて開口内にはめ込むことができる。
【００４３】
他の実施形態では、恒久取付されたバッグ５００抜きでカラー５２０が個別準備されよう。そうした実施形態では、カラー５２０のみがフレームアセンブリ４００の中央開口の縁内にはめ込まれ、従来型のプラスチック製ゴミ袋の開口部がカラー・縁間に挟み込まれる。
【００４４】
図４及び図５に、フレームアセンブリ４００が外バレルケーシング２００に枢動連結された好適実施形態を示す。ここではフレームアセンブリ４００が枢動開放されている。図５は、ヒンジを媒介にして外バレルケーシング２００に連結されているフレームアセンブリ４００の接写図である。他の実施形態では、フレームアセンブリ４００がダイアパペイル１０から完全に取り除かれ又は取り外されよう。
【００４５】
加えて、図５は、内バレル２１０内に配されたバッグ取付機構２１５の接写図でもある。図示実施形態では取付機構２１５がフックとなっている。
【００４６】
図６Ａはトップ１００の外側の斜視図である。図６Ｂはトップ１００の内側の斜視図であり、トップ１００が上下逆さまにされている。トップ１００は従来方法、例えば外バレルケーシング２００の上縁へのネジ止めや同ケーシング２００の上縁上にある相応な溝へのはめ込みによって、外バレルケーシング２００に可脱締結されている。図示実施形態ではこのトップに２個の枢動する透明なドア１１０が備わっており、そのドア１１０がそれぞれ半円形状となっている。それらドア１１０はそれぞれ弾性片１２０の働きで閉鎖方向に付勢されている。その弾性片１２０はヒンジに連結されバネとして動作するに留まらず、ドア１１０上に使用済みおむつが落ちてきたときドアを重力引力の働きで弾性的に枢動開放させることにより、タッチフリーな使用済みおむつ廃棄手段を提供している。先に言及した通り、弾性片１２０の例はコイルバネ、シリコーン又はラバー片であるがこれらには限られない。弾性片１２０には、ドア１１０が開き使用済みおむつが通り抜けた後にドア１１０が自動的にその原ポジションまで振れ戻る（閉じる）こととなるよう、十分なバネ張力を持たせる必要がある。
【００４７】
図７Ａに、一実施形態に係るダイアパペイル１０を構成する諸部品を一揃え示す。図７Ｂは、図１Ａの実施形態を構成するアセンブリ部品全ての分解図である。フレームアセンブリ４００は、バッグローラ４１０内のハウジングにはまるペグ４５を有し、そのバッグローラ４１０がローラベース４２０に対し回動する構成である。内バレル２１０は可回動な内バレルベース２０１上にはめ付けることができる。ベース３００は、六角形の断面形状を有する可回動アクスル３０９に加え、ベースカバー３１５、ベースパート３２０、ブレーシング片３６０及びペダル３５０を備える構成とすることができる。内バレルベース２０１は可回動アクスル３０９に連結可能な対応する六角形雌端を有しているので、アクスル３０９の回動によってバレルベース２０１が回動されひいては内バレル２１０が回動することとなる。本実施形態では外バレルケーシング２００が透明でありベースカバー３１５に連結されている。
【００４８】
図８Ａ及び図８Ｂは、好適なベース３００内部材の接写図である。図８Ａに示す実施形態では、ベースパート３２０が次の部材、即ちバネ２７ａに連結されたバネプラグ２７ｃと、バネプラグ２７ｃ，バネカバー２７ｂ双方を包む透明なバネカバー２７ｂと、を有している。大ギア２１ｂはそのベースパート３２０上に固定されると共に小ギア２１ａに連結されており、その小ギア２１ａもまたベースパート３２０上に固定されている。大ギア２１ｂが回ると小ギア２１ａが回動し、ひいてはその小ギア２１ａの上部に取り付けられ着座しているアクスル３０９も回ることとなろう。加えて、プーリとして動作するローラ２２が存している。金属ワイヤ２４は、その一端が金属レバー２５の基部付近に取り付けられており、ローラ２２を巡り、次いで大ギア２１ｂを巡り、更にバネカバー２７ｂ内に入ってバネ２７ａの中心を通り、そしてその末端部がバネプラグ２７ｃに達している。当該末端部はバネプラグ２７ｃに取り付けられている。バネ２７ａはその端部がギア２１ｂ付近に固定されており、バネプラグ２７ｃを外方に押す付勢力を呈している。バネ２７ａによってバネプラグ２７ｃが外方に押されるため金属ワイヤは引かれ緊張する。ユーザがフットペダル３５０を踏むと、翻ってレバー２５の外側脚が押し下げられるためレバー２５の内側脚が持ち上がる。このレバー内側脚は金属ワイヤ２４に当接しているので、レバー２５の内側脚の上方運動によって、更に、その金属ワイヤ２４を部分的に梃子化するローラ２２に抗し金属ワイヤ２５が引っ張られる。金属ワイヤ２５がバネ２７の力に抗し引っ張られ始めると、同金属ワイヤ２５は長手方向に沿いバネ２７ａから退く方向に動き、それを受け大ギア２１ｂが回動する。ひいては大ギア２１ｂの回動を受け小ギア２１ａ及びアクスル３０９が回る。上に述べたのは内バレル２１０を回動させるベース３００の好適構成であり、いわゆる当業者には直ちに認識される通り、内バレル２１０を望みに応じ回すという同様の結果を達成すべく他の既知方法及び機構を構成することが可能である。
【００４９】
図８Ｂ及び図８Ｃは上述した実施形態の頂面図及び斜視図である。いわゆる当業者には直ちに認識される通り、内バレル２１０を回すことが可能な既知回動機構は他にもある。他のどの既知回動手段も本願記載の実施形態のうち任意のものにて具現化することができる。
【００５０】
図９Ａは第１実施形態に係る組立済ベース３００の斜視図である。一実施形態に係る組立済ベース３００はベースカバー３１５、ペダル３５０及びブレーシング片３６０を備えている。ベースカバー３１５の中央からはアクスル３０９が突出している。このアクスル３０９の周囲にボールベアリング３１０をはめることで、内バレル２１０の回動をより円滑にすることができる。ベースカバー３１５の上縁沿いには外バレル２００受容用の溝がある。ある実施形態では、外バレル２００をその溝内にはめ込み時計方向に回動させると、その外バレル２００がその場にロックされる。
【００５１】
ブレーシング片３６０の働きで有効な梃子が形成されるので、ペダル３５０を押圧してもダイアパペイル１０がひっくり返らない。
【００５２】
図９Ｂ、図９Ｃ及び図９Ｄは図９Ａのベース３００の別図である。
【００５３】
図１０に、そのバッグ５００に恒久的に一体熔接されたカラー５２０を有するディスポーザブルバッグ５００を示す。そのショルダ部には熔接／補強された円形のレシーバ５０５が２個あり、それらの中心には孔開けでスルーホールが形成されている。
【００５４】
図１０と同じく図１１にもディスポーザブルバッグ５００が示されているが、図１１にはバッグ５００のショルダ部上に位置する２個のプラスチック製スリーブ５０５が備わるという違いがある。これらスリーブは、内バレル２１０側の対応するバッグ取付構造にバッグ５００を取り付けるためのものである。
【００５５】
図１２Ａ及び図１２Ｂに、ある種のカラー５２０を有するバッグアセンブリ５００を示す。
【００５６】
図１３Ａ及び図１３Ｂに、ある種のカラー５２０を有するバッグアセンブリ５００を示す。
【００５７】
図１４Ａ及び図１４Ｂに、ある種のカラー５２０を有するバッグアセンブリ５００を示す。
【００５８】
図１５Ａ及び図１５Ｂに、ある種のカラー５２０を有するバッグアセンブリ５００を示す。
【００５９】
上掲の説明は、総じて、回動型の内バレルを用いバッグ５００がひねり閉鎖される実施形態を述べるものであったが、いわゆる当業者には直ちに認識される通り、バッグ５００のネック５１０をひねらない諸手法でも本発明の主題を実現することができる。
【００６０】
さて、図１６に示すのはより一般化された実施形態であり、ゴミ処理システム１０が、ゴミ６を保持するエンクロージャ３を有している。エンクロージャ３は、単に、容器アセンブリ１内の空きスペースでよい。ある実施形態ではエンクロージャ３がディスポーザブルバッグとされる。他の実施形態では、エンクロージャ３が、容器アセンブリ１の内部又は下部にはまるバケツとされる。
【００６１】
容器アセンブリ１は、トップドア４と、そのトップドア４の開閉を制御するアクチュエータ５とを有している。このアクチュエータ５は任意の既知な機械的、電気的又は磁気的コントローラとすることができる。上述のラバーバネのように単純なものでもよいし、ユーザが自分の手を振ったことを検知するモーションセンサによって制御されトップドア４を開かせる動力付きユニットのような複雑なものでもよい。
【００６２】
容器アセンブリは、上述した諸目的でゴミを一時的に保持するステージングエリア（待機区画）２を有している。一実施形態に係るステージングエリアは、トップドアと、エンクロージャ９へのエントランス８と、の間に包み込まれたクリアランス空間である。他の実施形態ではそのクリアランス空間が少なくとも１０ｃｍとされる。
【００６３】
エンクロージャ３に向けてはエントランス８が設けられており、そのエントランス８の開閉はアクチュエータ７によって独立に制御されている。エントランス８の開閉はトップドア４の開閉に対し独立である。上述の通りフットペダル及び回動型内バレルによりアクチュエータ７の制御を実行することで、バッグ５００のネック５１０（即ちエントランス８）をひねり閉鎖することができる。他の実施形態にあっては、アクチュエータ７に動力付きユニットが組み込まれ、ボタンの押下、ボタンの踏み込み又はモーションセンサの面前での動きに応じ、その動力付きユニットによって二組目のドア（即ちエントランス８）が随意に開閉されよう。
【００６４】
更に他の実施形態では、バッグ５００がエンクロージャ３として且つ容器アセンブリ１０内でひねらずに使用されうる。ひねる代わりに、バッグのネックを機械アームによって変形させることで当該ネックが概ね閉鎖される。他の実施形態では、ある種のシンチングリング又はシャッタブレードを用い、閉じているバッグのネックが帯留めされよう。更なる実施形態では、内バレル２１０が回動されず、動力付きの可回動なバッグローラ４１０によってネック５１０のひねり／ひねり戻しが実行されよう。
【００６５】
先に言及した通り、バッグローラ４１０には、バッグ５００のカラーとの連結用の取付機構として、様々な種類の受容及び／又は突出構造を具備させうる。図１７に示す他の可回動型バッグローラ３１０は突出するペグ３４５を有しており、ユーザは、そのペグ３４５を握ってバッグローラを回動させることができ、またそのペグ３４５を上向きに引くことでバッグローラをあるポジションからアンロックすることができる。バッグローラ３１０は環状低壁３４６及び３個の低円柱状スタブ３４７を有する構成とすることができる。図１８に示す格別の実施形態ではディスポーザブルバッグが平坦、平板状且つ折り畳み式のカラー８２０を有しており、またバッグローラ３１０側にある３個の低円柱状スタブ３４７を受け入れうる３個のスルーホール８８１がそのカラー８２０に設けられている。この平坦平板状のカラー８２０には６本の折れ線が予め切り込まれているので、図２７に示す如くカラーを折り畳むことができる。図２７ではカラーが６枚のカラーパネル８２２を有しており、それらカラーパネル８２２が連続的且つ可枢動的に相互連結されている。それらを折り畳むとカラーパネル８２２のうち２枚でカラーパネル８２２のうち４枚がサンドイッチされる。考え得る限りカラーパネル８２２はどのような枚数でもよく、そのことは、この参照を以てその全容が本願に繰り入れられるところの、前掲した係属中の特許出願にも具体的に記されている。
【００６６】
図１９に、バッグローラ３１０上に装着されており且つ３個の低円柱状スタブ３４７が３個のスルーホール８８１内に全通されているカラー８２０を示す。更に、図１９に示すひねられたネック８１０は、カラー８２０の装着後にバッグローラ３１０を第１ポジションから第２ポジションへと回動させることで、生成されたものである。
【００６７】
そのバッグ／カラー取付機構として低円柱状スタブ３４７を有するバッグローラ３１０を示したが、対応する形状を有する相応なカラーと連結接触、雌雄接触、摩擦接触又は当接接触させうるような、任意な形状及び構造を伴い好適な取付機構を実現することができる。例えば、平坦平板状のカラーの一部分を折り畳んで挿入することでそのカラーをその場にロックすることが可能な細いスリットを、バッグローラ３１０に設けるとよい。バッグローラ３１０がその他の受容構造、例えば平坦平板状のカラーを滑り込ませること又ははめ込むことが可能な側溝を伴う高台部分を有していてもよい。
【００６８】
図２０Ａ及び図２０Ｂに、カラー８２０が切り込み済折れ線を有していない実施形態、特にカラー８２０が可撓であり（折り畳むこと又は折り重ねることなく）変形させた上で開口、即ち環状低壁３４６で画定された開口内に通すことが可能な実施形態を示す。図中のカラー８２０はロッキングノッチ８２６及びフィンガ８２５を有しており、ダイアパペイルからバッグを外す際にはひねられたネック８１０をそこに入れることができる。他の実施形態としては、ダイアパペイルからバッグを外す際にバッグ取付機構５０５，８０５と係合するようロッキングノッチ８２６及びフィンガ８２５を構成する形態がある。
【００６９】
図２１に他の実施形態、特にバッグローラ５１０が工夫されていてスロット５４８を有しているため、カラー８２０を変形し、折り畳み又は折り重ねることなく、環状低壁４４６で画定された開口内にそのカラー８２０を通すことができる形態を示す。スロット５４８は、その中にカラー８２０を入れることができるよう、十分幅広な長尺開口として形成されている。
【００７０】
加えて、ゴミ容器は、通常、室内の装飾的又は視覚刺激的器物としては機能しない。言い換えれば、ゴミ容器は、通常、乳児及び幼児が興味を持ち又は刺激を受ける器物ではない。子供が興奮するであろう視覚刺激的事象がおむつ捨てに随伴することとなるので、視覚刺激的なダイアパペイルは、乳幼児の行動を強化するよう且つ乳児及び幼児が親たちにおむつ交換時期を警報可能にするよう働きうる。更に留意すべきことに、視覚刺激的なシステムとしても機能する好適なゴミ処理システムによれば、乳幼児の肯定的な行動を強化し、児童と親の共通体験をはぐくみ、そして児童の発育を助けることができる。
【００７１】
既知の通り、視覚は出生時にはほとんど発達していない感覚の一種といいうるので、早期月齢における視覚入力が乳児の神経系の発達に多大な効果を及ぼす余地がある。大人なら様々な陰影の度合いの明暗を弁別できるが、新生児の網膜では、大きな明暗間又は白黒間コントラストしか検知することができない。乳児が成長するにつれ、その大脳は全部で五種類の感覚から入力を受け取り、ひいては神経細胞が増倍して他の神経細胞との結合を形成する。諸研究が示唆するところによれば、乳児を目隠ししたままにするとその乳児の大脳内の視覚中枢はまず以て発育しないであろう。乳児の視覚を刺激する上で最良の手法の一つは、対比的な色や縞を利用することである。上述の通り、外バレルケーシング２００を透明にすることで、内バレル２１０上に存する鮮明でカラフルな回動するデザインを、ユーザ及び乳児に見せることができる。この強力な視覚刺激は例えばおむつ交換作業に付随し発生する。これまで、乳児及び幼児にとっては、おむつ交換に常に否定的な気分が付随していた。視覚魅了的なダイアパペイルは、時間経過につれて、乳児の大脳内の視覚中枢を刺激するだけでなく、肯定的支援として働く視覚魅了的な光景におむつ交換を関連付けることで乳児の行動をも変化させる。
【００７２】
十分に年かさな幼児の場合、ダイアパペイル１０の頂部透明ドア１１０越しに見下ろし、ひねりがほどかれたバッグ５００に使用済みおむつが飲み込まれていく様を見ることができる。これもまた、乳児及び幼児の行動上の発育に対する肯定的支援として作用する。
【００７３】
図７Ａ及び図７Ｂに示した内バレル２１０は螺旋状の模様又は螺旋状の構造を有しているが、視覚魅了的なグラフィクス、幾何学的形状、対比色を有する幾本かの線、デザイン、写真、色のベタ塗り、更には視覚的な魅力及び刺激に資する漫画キャラクタの描写も想定範囲内である。
【００７４】
以上、ゴミの処理及び乳幼児行動の変転に役立つシステム及び装置の具体的な実施形態及び用途について説明してきた。しかしながら、いわゆる当業者には自明な通り、上述したもの以外の多岐多様な変形を、本願記載の発明概念から離れることなく施すことができる。従って、本発明の主題は、別紙特許請求の範囲に記載の概念以外によっては制限されえない。更に、明細書の解釈，特許請求の範囲の解釈のいずれにおいても、全ての語が文脈に従い最も広義な要領で解釈されるべきである。特に、語「備える」及び「有する」は、要素、部材又はステップを非排他的形態で参照するものとして、即ちその語により参照されている要素、部材又はステップが明示的に参照されていない他の要素、部材又はステップと併存し、併用され又は組み合わされうるものとして解釈されるべきである。特許請求の範囲に記載されている主題からの変更のうちいわゆる当業者の目から見て非本質的なものは、現在既知のものも今後案出されるものも含め、本発明の技術的範囲内に入る等価なものと明らかに認められる。従って、いわゆる当業者にとり既知な又は今後既知になる自明な置換は、本発明の技術的範囲内にあるものと規定される。即ち、特許請求の範囲には、具体的に描写及び上述されているもの、概念的に等価なもの、明らかに置き換えうるもの、更には本発明の基本的着想が本質的に取り入れられているものが、含まれるものと理解されるべきである。加えて、明細書及び特許請求の範囲のうち、Ａ、Ｂ、Ｃ、…、及びＮからなる集合から選択されたもののうち少なくとも一つ、に言及している文については、その集合に属する要素のうち１個だけが必要、Ａは不要だがＮは必要、ＢもＮも必要等々と解釈されるべきである。
【００７５】
本願明細書で本発明及びその諸実施形態を記述するのに使用されている語は、それらの語の一般的定義による意味合いを考慮し解釈されるに留まらず、そうした一般的定義による意味合いの範囲を越え本願明細書での特別な定義、構造、素材又は動作が包含されるようにも理解されるべきである。即ち、本願明細書の文脈から見てある要素が複数通りの意味合いを含むものと理解可能な場合、特許請求の範囲におけるその要素の使用は、明細書によりまたその語自体によりサポートされるあらゆる意味合いを包括するものとして理解されるべきである。
【００７６】
従って、後掲の特許請求の範囲における語又は要素の定義は、文理的に説明された諸要素の組合せを包含するに留まらず、実質的に同一の機能を実質的に同一の要領で実現し実質的に同一の結果をもたらす、あらゆる等価な構造、素材又は動作をも包含する。この意味では、従って、後掲の特許請求の範囲に記載のどの要素についても２個以上の要素で等価置換しうること或いは特許請求の範囲に記載の２個以上の要素を１個の要素で置換しうることが明らかである。諸要素がある特定の組合せで動作するものとして上述してきたし、また出願当初の特許請求の範囲でもそのように記載されているが、疑問なく理解できる通り、特許請求の範囲に記載されている組合せに属する１個又は複数個の要素を場合によってはその組合せから切り離すことができ、また特許請求の範囲に記載されている組合せをサブコンビネーションへ又はサブコンビネーションの類型へと直すことができる。
【図１Ａ】
0006286107.tif 000002
【図１Ｂ】
0006286107.tif 000003
【図２】
0006286107.tif 000004
【図３Ａ】
0006286107.tif 000005
【図３Ｂ】
0006286107.tif 000006
【図３Ｃ】
0006286107.tif 000007
【図４】
0006286107.tif 000008
【図５】
0006286107.tif 000009
【図６Ａ】
0006286107.tif 000010
【図６Ｂ】
0006286107.tif 000011
【図７Ａ】
0006286107.tif 000012
【図７Ｂ】
0006286107.tif 000013
【図８Ａ】
0006286107.tif 000014
【図８Ｂ】
0006286107.tif 000015
【図８Ｃ】
0006286107.tif 000016
【図９Ａ】
0006286107.tif 000017
【図９Ｂ】
0006286107.tif 000018
【図９Ｃ】
0006286107.tif 000019
【図９Ｄ】
0006286107.tif 000020
【図１０】
0006286107.tif 000021
【図１１】
0006286107.tif 000022
【図１２Ａ】
0006286107.tif 000023
【図１２Ｂ】
0006286107.tif 000024
【図１３Ａ】
0006286107.tif 000025
【図１３Ｂ】
0006286107.tif 000026
【図１４Ａ】
0006286107.tif 000027
【図１４Ｂ】
0006286107.tif 000028
【図１５Ａ】
0006286107.tif 000029
【図１５Ｂ】
0006286107.tif 000030
【図１６】
0006286107.tif 000031
【図１７】
0006286107.tif 000032
【図１８】
0006286107.tif 000033
【図１９】
0006286107.tif 000034
【図２０Ａ】
0006286107.tif 000035
【図２０Ｂ】
0006286107.tif 000036
【図２１】
0006286107.tif 000037
【図２２Ａ】
0006286107.tif 000038
【図２２Ｂ】
0006286107.tif 000039
【図２３】
0006286107.tif 000040
【図２４】
0006286107.tif 000041
【図２５】
0006286107.tif 000042
【図２６】
0006286107.tif 000043
【図２７】
0006286107.tif 000044